(57)【要約】  【課題】  張り出し部を設けることで転倒することを防止でき、また、張り出し部を着脱自在とすることにより収納性も損なわれない衝立を提供する。  【解決手段】プラスチックダンボールからなる長方形の各パネル１は、折り曲げ可能に連結されて衝立１００の主要部を構成している。そして、衝立１００の中央に折曲線１ａを設けると共に、折曲線１ａと両端部１ｃとの中間に折曲線１ａと反対折りとなる逆折曲線１ｂを設けている。  転倒防止用の張り出し部２は、パネル１の接地下端部の表裏両面に着脱可能に設けている。張り出し部２も、プラスチックダンボールからなる小型の長方形のパネルであって、中央に折曲線２ａを設けると共に、両端付近に折曲線２ａと反対折りとなる逆折曲線２ｂを設けている。【選択図】  図１
2006204652.tif 000002
【特許請求の範囲】
【請求項１】
複数のパネルが折り曲げ可能に連結された衝立であって、前記パネルの接地下端部に着脱可能な張り出し部を有することを特徴とする転倒防止つき衝立。
【請求項２】
前記張り出し部は、少なくとも衝立両端に位置する前記パネルの両面に設けられていることを特徴とする請求項１に記載の転倒防止つき衝立。
【請求項３】
前記張り出し部は、衝立収納時に前記パネルと略密着状態で収納されることを特徴とする請求項１に記載の転倒防止つき衝立。
【請求項４】
前記張り出し部及び前記パネルは、プラスチックダンボールで構成されていることを特徴とする請求項１に記載の転倒防止つき衝立。
【請求項５】
前記張り出し部は、衝立組み立て時に前記パネルと面状ファスナーで接合されることを特徴とする請求項１に記載の転倒防止つき衝立。
【発明の詳細な説明】
【技術分野】
【０００１】
本発明は、自立型の衝立に関する。
【背景技術】
【０００２】
従来、大きな部屋の一部を臨時に間仕切りして診察や事務・面談などのための小スペースを作り出す場合や軽量展示物などの展示に簡便な衝立が使用されている。
【０００３】
以下、従来の衝立２００について、図４を参照して説明する。図中１１は長方形のダンボールからなる複数のパネルを連結した従来の衝立である。中央に折曲線１１ａを設けると共に、折曲線１１ａと両端との中間部に折曲線１１ａと反対折りとなる逆折曲線１１ｂを設けている。１２は装飾用の絵や印刷を設ける装飾欄であって、ダンボール１１の表裏面に設けている。
【０００４】
衝立２００の使用に当たっては、装飾欄１２に自分の好みの絵を直接画いたり或は貼り付けたり又は印刷したりして装飾をつけるほか、なにも設けず無地のままとしておくこともある。そして折曲線１１ａにてダンボール１１を二つ折りとし、更に逆折曲線１１ｂにて折曲線１１ａと反対方向に折り曲げて四つ折りにし、所定場所に垂直に立てて間仕切として使用する。間仕切として不用になれば、折曲線１１ａと逆折曲線１１ｂにて伸ばして一枚板として或は、四つ折りに折り畳んで重ね合わせて収納する（例えば、特許文献１参照。）。
【特許文献１】実開平６−４６５６７号公報  （第４頁、第２図）。
【発明の開示】
【発明が解決しようとする課題】
【０００５】
しかしながら、従来の衝立２００においてはダンボール１１に人体の一部が触れるなどして折曲線１１ａと両端及び中間の逆折曲線１１ｂが直線状に並ぶと、衝立２００は容易に転倒するという問題があった。
【課題を解決するための手段】
【０００６】
請求項１記載の発明は、複数のパネルが折り曲げ可能に連結された衝立であって、パネルの接地下端部に着脱可能な張り出し部を有することを特徴とする転倒防止つき衝立である。
【発明の効果】
【０００７】
本発明の衝立は、パネルの接地下端部に張り出し部を設けることで転倒することを防止できる。また、張り出し部を着脱自在とすることにより収納性も損なわれない。
【発明を実施するための最良の形態】
【０００８】
衝立の転倒防止という目的を、張り出し部を設けることで収納性を損なうことなく実現した。
【実施例１】
【０００９】
以下、本発明の実施例１の衝立１００について、図１、図２を参照して説明する。図２は、図１の張り出し部２を底面からみた拡大図である。張り出し部２とパネル１とは面状ファスナー３で結合されている。図１において、１はプラスチックダンボールからなる長方形のパネルであって、各パネル１が折り曲げ可能に連結されて衝立１００の主要部を構成している。そして、衝立１００の中央に折曲線１ａを設けると共に、折曲線１ａと両端部１ｃとの中間に折曲線１ａと反対折りとなる逆折曲線１ｂを設けている。
【００１０】
２は本発明の特徴である転倒防止用の張り出し部であって、パネル１の接地下端部の表裏両面に着脱可能に設けている。張り出し部２も、プラスチックダンボールからなる小型の長方形のパネルであって、中央に折曲線２ａを設けると共に、両端付近に折曲線２ａと反対折りとなる逆折曲線２ｂを設けている。
【００１１】
使用時は、各張り出し部２を図１に示すようにパネル１の両面に広げるとともに衝立１００をつづら折れ状態に広げ、臨時の間仕切りや絵画などの展示物の展示用パネルとして使用する。
【００１２】
収納時は、各張り出し部２をパネル１と密着させるように収納してから、各パネル１を折り畳んで重ね合わせて収納する。張り出し部２を平面状に収納したときの幅寸法は、パネル１のそれよりも少し短くしている。図２に示す破線は、張り出し部２の収納状態を示している。また、張り出し部２をパネル１から取り外して衝立１００を収納することもできる。
【００１３】
そして図３（ａ）に示すように、折曲線１ａ、２ａ、逆折曲線１ｂ、２ｂは、プラスチックダンボールの波型に成型した中芯シート６とライナシート７との接着稜線７ａであることが望ましく、接着稜線７ａと反対側のライナ７ｂを切断して折り曲げている。
【００１４】
以上説明したように、張り出し部２を展開して使用することで、衝立１００の接地面積が大きくなり、また、床面との摩擦も大きくなる。さらに、張り出し部２があるため衝立１００の重心がより低くなる。よって、衝立１００の使用状態の折り曲げ角度が変わりにくくなり、衝立１００が転倒することを防止できる。また、張り出し部２を平面状にしてパネル１に密着させたり、張り出し部２をパネル１から取り外したりして衝立１００を収納することにより、収納性も損なわれない。
【００１５】
尚、図１に示すパネル１の端部１ｃ を、図２に示すようにフレーム４で挟めば、端部１ｃの装飾や補強及び鋭利な加工端のカバーによる安全対策にもなる。また、衝立１００の所望サイズによっては、折曲線１ａ、１ｂは、図３（ｂ）に示すように、隣り合うパネル１どうしをプラスチック製のフレーム５で挟んで接続しても良い。
【産業上の利用可能性】
【００１６】
本発明の衝立は、スペース確保のための間仕切りや移動診察時の衝立、また、軽量の著作物等の展示パネル等に広く適用できる。
【図面の簡単な説明】
【００１７】
【図１】本発明の第１実施例の衝立１００の全体図。
【図２】本発明の第１実施例の衝立１００の部分拡大底面図。
【図３】本発明の第１実施例の衝立１００の部分拡大図。
【図４】従来例の衝立２００の全体図。
【符号の説明】
【００１８】
１    パネル
２    張り出し部
３    面状ファスナー
４、５    フレーム
６    中芯シート
７    ライナシート
１１    ダンボール
１２    装飾欄
１００、２００    衝立
【図１】
2006204652.tif 000003
【図２】
2006204652.tif 000004
【図３】
2006204652.tif 000005
【図４】
2006204652.tif 000006